(57)【要約】      （修正有）【課題】赤外線光がユーザの局所部位に照射され、血液循環を促進させることができると共に、殺菌を実施することができるノズルアセンブリーを提供する。【解決手段】ビデ用ノズルアセンブリーは、本体と、第１、第２シリンダー２１０，２２０が形成される駆動部２００と、前記第１、第２シリンダー２１０，２２０に対応する第１、第２連結具２４１，２４２が形成されるカバーと、前記第１シリンダー２１０に挿入され、水圧によって延長されるビデノズル３００と、前記第２シリンダー２２０に挿入され、水圧によって延長される洗浄ノズル４００と、前記本体に対して前記駆動部をスライディングさせる駆動手段と、前記駆動部２００に設けられ、赤外線ランプ６１０を具備するランプハウジング６００とを含む。【選択図】図１
2010112154.tif 000002
【特許請求の範囲】
【請求項１】
本体と、
第１、第２シリンダーが形成される駆動部と、 
前記第１、第２シリンダーに対応する第１、第２連結具が形成されるカバーと、 
前記第１シリンダーに挿入され、水圧によって延長されるビデノズルと、 
前記第２シリンダーに挿入され、水圧によって延長される洗浄ノズルと、 
前記本体に対して前記駆動部をスライディングさせる駆動手段と、 
前記駆動部に設けられ、赤外線ランプを具備するランプハウジングと、 
を含むことを特徴とするビデ用ノズルアセンブリー。 
【請求項２】
本体と、 
第１、第２シリンダーが形成される駆動部と、 
前記第１、第２シリンダーに対応する第１、第２連結具が形成されるカバーと、 
前記第１シリンダーに挿入され、水圧によって延長されるビデノズルと、 
前記第２シリンダーに挿入され、水圧によって延長される洗浄ノズルと、 
前記本体に対して前記駆動部をスライディングさせる駆動手段と、 
前記駆動部に設けられ、第１、第２赤外線ランプを上下に具備するランプハウジングと、 
を含み、 
前記第１赤外線ランプは、ユーザの局所部位に照射され、前記第２赤外線ランプは、ビ
デノズルと洗浄ノズル方向に照射されることを特徴とするビデ用ノズルアセンブリー。 
【請求項３】
本体と、 
第１、第２シリンダーが形成される駆動部と、 
前記第１、第２シリンダーに対応する第１、第２連結具が形成されるカバーと、 
前記第１シリンダーに挿入され、水圧によって延長されるビデノズルと、 
前記第２シリンダーに挿入され、水圧によって延長される洗浄ノズルと、 
前記本体に対して前記駆動部をスライディングさせる駆動手段と、 
前記駆動部に設けられ、赤外線ヒーターを具備するヒーターハウジングと、 
を含むことを特徴とするビデ用ノズルアセンブリー。 
【請求項４】
前記赤外線ヒーターは、前記ヒーターハウジングの上下部に備えられる第１、第２赤外
線ヒーターで構成され、前記第１赤外線ヒーターは、ユーザの局所部位に照射され、前記
第２赤外線ヒーターは、ビデノズルと洗浄ノズル方向に照射されることを特徴とする請求
項３に記載のビデ用ノズルアセンブリー。 
【請求項５】
前記駆動手段は、 
前記本体に設けられるモーターと、前記モーターに結合されるピニオンと、前記ピニオ
ンと噛合されるように前記駆動部に設けられるラックと、を含むことを特徴とする請求項
１乃至４のいずれかに記載のビデ用ノズルアセンブリー。 
【請求項６】
前記モーターは、ステップモータであることを特徴とする請求項５に記載のビデ用ノズ
ルアセンブリー。 
【請求項７】
前記ビデノズルまたは前記洗浄ノズルを復帰させるリターンスプリングがさらに備えら
れることを特徴とする請求項１乃至４のいずれかに記載のビデ用ノズルアセンブリー。 
【請求項８】
前記リターンスプリングは、前記駆動部と前記ビデノズルまたは前記洗浄ノズルとの間に設けられる圧縮スプリングで構成されることを特徴とする請求項７に記載のビデ用ノズルアセンブリー。
【請求項９】
前記リターンスプリングは、前記第１、第２連結具と前記ビデノズルまたは前記洗浄ノ
ズルとの間に設けられる引張スプリングで構成されることを特徴とする請求項７に記載の
ビデ用ノズルアセンブリー。 
【請求項１０】
前記ランプハウジングは、透明な素材からなり、前記ランプハウジングの外部には、反
射鏡がさらに備えられ、前記反射鏡は、ビデハウジングに設けられることを特徴とする請
求項１に記載のビデ用ノズルアセンブリー。 
【請求項１１】
前記ランプハウジングの上下端には、透明窓が各々さらに備えられることを特徴とする 
請求項１または２に記載のビデ用ノズルアセンブリー。 
【請求項１２】
前記ヒーターハウジングは、透明な素材からなり、前記ヒーターハウジングの外部には、
反射鏡がさらに備えられ、前記反射鏡は、ビデハウジングに設けられることを特徴とする 
請求項３または４に記載のビデ用ノズルアセンブリー。 
【請求項１３】
前記ヒーターハウジングの上下端には、透明窓が各々さらに備えられることを特徴とす
る請求項３または４に記載のビデ用ノズルアセンブリー。 
【請求項１４】
前記本体には、ガイド部が形成され、前記駆動部には、前記ガイド部に対応するスライ
ディング部材が形成されることを特徴とする請求項１乃至３のいずれかに記載のビデ用ノ
ズルアセンブリー。 
【請求項１５】
赤外線ランプを具備するランプハウジングが前記駆動部に追加的に設けられることを特
徴とする請求項３に記載のビデ用ノズルアセンブリー。 
【発明の詳細な説明】
【技術分野】
【０００１】
本発明は、ビデ用ノズルアセンブリーに関し、より詳細には、赤外線ランプから発散される赤外線光がユーザの局所部位に照射され、血液循環を促進させることができるようにしたビデ用ノズルアセンブリーに関する。
【背景技術】
【０００２】
一般的に、座便器は、用便を水洗式で処理する洋便器の一種であって、近年、座便器にビデ（bidet）が一緒に装着され、用便後に自動で用便部位を温水で洗浄し、温風を利用して乾燥させることができるように構成されていて、非常に衛生的なので、座便器とともにビデが広く使用されている。
【０００３】
しかし、座便器に設けられたビデ装置は、用便部位を自動に洗浄し乾燥させる役目以外には、特別の機能を期待することができないので、結局、ユーザの局所部位に温熱マッサージを行い、血液循環を促進させて、痔疾のような肛門疾患や女性の帯下、生理不順、妊産婦の産後のケアーのような各種婦人病の予防効果を期待しにくかった。
【０００４】
また、ビデ装置は、その価格が高価であるが、その用途は、用便部位の洗浄や乾燥にのみ限定されるので、ビデが有する電気供給機能を利用して他の用途として使用するための提案が切実に要求されている。これにより、本発明者は、赤外線ランプをビデと統合されるように胴体に設置し、赤外線光がユーザの局所部位を照射することによって、温熱マッサージを行うことができるビデを開発するに至った。
【発明の概要】
【発明が解決しようとする課題】
【０００５】
本発明は、前述した従来の諸問題点を解決するためになされたもので、その目的は、赤外線ランプから発散される赤外線光がユーザの局所部位に照射され、血液循環を促進させることができると共に、殺菌を実施することができるビデ用ノズルアセンブリーを提供することにある。
【０００６】
また、本発明の他の目的は、ビデノズルと洗浄ノズルを別に具備し、水圧によって延長及びリターンスプリングによって復帰され、電気使用量を低減することができるビデ用ノズルアセンブリーを提供することにある。
また、本発明のさらに他の目的は、赤外線ランプを用いてビデノズルと洗浄ノズルを殺菌することができるビデ用ノズルアセンブリーを提供することにある。
【課題を解決するための手段】
【０００７】
上記目的を達成するために、本発明の第１実施例に係るビデ用ノズルアセンブリーは、本体と、第１、第２シリンダーが形成される駆動部と、前記第１、第２シリンダーに対応する第１、第２連結具が形成されるカバーと、前記第１シリンダーに挿入され、水圧によって延長されるビデノズルと、前記第２シリンダーに挿入され、水圧によって延長される洗浄ノズルと、前記本体に対して前記駆動部をスライディングさせる駆動手段と、前記駆動部に設けられ、赤外線ランプを具備するランプハウジングと、を含むことを特徴とする。
【０００８】
本発明の第２実施例に係るビデ用ノズルアセンブリーは、本体と、第１、第２シリンダーが形成される駆動部と、前記第１、第２シリンダーに対応する第１、第２連結具が形成されるカバーと、前記第１シリンダーに挿入され、水圧によって延長されるビデノズルと、前記第２シリンダーに挿入され、水圧によって延長される洗浄ノズルと、前記本体に対して前記駆動部をスライディングさせる駆動手段と、前記駆動部に設けられ、第１、第２赤外線ランプを上下に具備するランプハウジングと、を含み、前記第１赤外線ランプは、ユーザの局所部位に照射され、前記第２赤外線ランプは、ビデノズルと洗浄ノズル方向に照射されることを特徴とする。
【０００９】
本発明の第３実施例に係るビデ用ノズルアセンブリーは、本体と、第１、第２シリンダーが形成される駆動部と、前記第１、第２シリンダーに対応する第１、第２連結具が形成されるカバーと、前記第１シリンダーに挿入され、水圧によって延長されるビデノズルと、前記第２シリンダーに挿入され、水圧によって延長される洗浄ノズルと、前記本体に対して前記駆動部をスライディングさせる駆動手段と、前記駆動部に設けられ、赤外線ヒーターを具備するヒーターハウジングと、を含むことを特徴とする。
【００１０】
前記赤外線ヒーターは、前記ヒーターハウジングの上下部に備えられる第１、第２赤外線ヒーターで構成され、前記第１赤外線ヒーターは、ユーザの局所部位に照射され、前記第２赤外線ヒーターは、ビデノズルと洗浄ノズル方向に照射されることが好ましい。
【００１１】
また、前記駆動手段は、前記本体に設けられるモーターと、前記モーターに結合されるピニオンと、前記ピニオンと噛合されるように前記駆動部に設けられるラックと、を含むことが好ましい。
また、前記モーターは、ステップモータであることが好ましい。 
また、前記ビデノズルまたは前記洗浄ノズルを復帰させるリターンスプリングがさらに備えられることが好ましい。
また、前記リターンスプリングは、前記駆動部と前記ビデノズルまたは前記洗浄ノズルとの間に設けられる圧縮スプリングで構成されることが好ましい。
前記リターンスプリングは、前記第１、第２連結具と前記ビデノズルまたは前記洗浄ノズルとの間に設けられる引張スプリングで構成されることが好ましい。
【００１２】
また、前記ランプハウジングは、透明な素材からなり、前記ランプハウジングの外部には、反射鏡がさらに備えられ、前記反射鏡は、ビデハウジングに設けられることが好ましい。
また、前記ランプハウジングの上下端には、透明窓が各々さらに備えられることが好ましい。
【００１３】
前記ヒーターハウジングは、透明な素材からなり、前記ヒーターハウジングの外部には、反射鏡がさらに備えられ、前記反射鏡は、ビデハウジングに設けられることが好ましい。
また、前記ヒーターハウジングの上下端には、透明窓が各々さらに備えられることが好ましい。
また、前記本体には、ガイド部が形成され、前記駆動部には、前記ガイド部に対応するスライディング部材が形成されることが好ましい。
【発明の効果】
【００１４】
本発明による赤外線ビデによれば、赤外線ランプから発散される赤外線光がユーザの局所部位に照射され、血液循環を促進させることができると共に、殺菌を実施することができる効果を奏する。
また、ビデノズルと洗浄ノズルを別に具備し、水圧によって延長及びリターンスプリングによって復帰され、電気使用量を低減することができる効果を有する。
また、赤外線ランプを用いて赤外線をビデノズルと洗浄ノズルに照射して殺菌することができる効果を有する。
【図面の簡単な説明】
【００１５】
【図１】本発明の第１実施例に係るビデ用ノズルアセンブリーを示す分解斜視図である。
【図２】図１の結合状態を示す斜視図である。
【図３】本発明の第１実施例に係るビデ用ノズルアセンブリーが適用されたビデを示す断面図である。
【図４】本発明の第２実施例に係るビデ用ノズルアセンブリーを示す分解斜視図である。
【図５】図４の結合状態を示す斜視図である。
【図６】本発明の第３実施例に係るビデ用ノズルアセンブリーを示す分解斜視図である。
【図７】図６の結合状態を示す斜視図である。
【図８】本発明の第３実施例に係るビデ用ノズルアセンブリーが適用されたビデを示す断面図である。
【図９】本発明の第３実施例に係るビデ用ノズルアセンブリーに複数個の赤外線ヒーターが適用された状態を示す分解斜視図である。
【図１０】本発明の第４実施例に係るビデ用ノズルアセンブリーを示す分解斜視図である。
【発明を実施するための形態】
【００１６】
以下、添付の図面を参照して本発明の好ましい実施例を 詳細に説明する。
第１実施例
【００１７】
図１は、本発明の第１実施例に係るビデ用ノズルアセンブリーを示す分解斜視図であり、図２は、図１の結合状態を示す斜視図であり、図３は、本発明の第１実施例に係るビデ用ノズルアセンブリーが適用されたビデを示す断面図である。
【００１８】
図１及び図２に示されたように、本発明の第１実施例に係るビデ用ノズルアセンブリーＡは、本体１００と、第１、第２シリンダー２１０、２２０が形成される駆動部２００と、前記第１、第２シリンダー２１０、２２０に対応する第１、第２連結具２４１、２４２が形成され、前記駆動部２００の開放された端部を覆うように結合されるカバー２４０と、前記第１シリンダー２１０に挿入され、水圧によって延長されるビデノズル３００と、前記第２シリンダー２２０に挿入され、水圧によって延長される洗浄ノズル４００と、前記本体１００に対して前記駆動部２００をスライディングさせる駆動手段５００と、前記駆動部２００に設けられ、赤外線ランプ６１０を具備するランプハウジング６００とで構成
される。
前記カバー２４０の第１、第２連結具２４１、２４２には、洗浄水が流入される流入口２４３、２４４が各々形成される。
【００１９】
また、前記第１、第２連結具２４１、２４２と第１、第２シリンダー２１０、２２０とは、互いに嵌着され、前記流入口２４３、２４４を通じて流入された洗浄水は、第１、第２シリンダー２１０、２２０の内部に流入され、流入された洗浄水の圧力によって、ビデノズル３００と洗浄ノズル４００は、駆動部２００の長さ方向に延長されると共に、洗浄水を噴射する。
また、洗浄水の噴射が完了すれば、延長されたビデノズル３００と洗浄ノズル４００は、リターンスプリング７００の弾性力によって復帰される。
【００２０】
前記リターンスプリング７００は、前記駆動部２００の第１、第２シリンダー２１０、２２０とビデノズル３００または洗浄ノズル４００との間に設けられる圧縮スプリングであって、その弾性力によってビデノズル３００と洗浄ノズル４００を第１、第２シリンダー２１０、２２０の内部に各々復帰させる。
【００２１】
一方、前記リターンスプリング７００は、前記第１、第２連結具２４１、２４２とビデノズル３００または洗浄ノズル４００との間に設けられる引張スプリングで構成されることも可能であり、詳細な説明は省略する。
【００２２】
前記駆動手段５００は、前記本体１００に設けられるモーター５１０と、前記モーター５１０の回転軸に結合されるピニオン５２０と、前記ピニオン５２０と噛合されるように前記駆動部２００の下端に設けられるラック５３０とで構成される。
前記モーター５１０は、入力パルス数に対応して一定角度ずつ回転するステップモータで構成される。
【００２３】
また、前記ランプハウジング６００の外部には、図３のように、反射鏡６３０がさらに備えられ、前記反射鏡６３０は、ビデハウジング８００の内面に設けられる。これは、ランプハウジング６００の内部に実装された赤外線ランプ６１０は、赤外線照射範囲が限定されるので、ユーザの局所に照射するために、通常、上端に向かうようになり、上端に向かう赤外線を反射鏡６３０を通じてビデノズル３００と洗浄ノズル４００に向かって照射し、殺菌を実施することができる。
【００２４】
しかし、前記反射鏡６３０を通じて反射された赤外線は、前記ランプハウジング６００の外部に照射されるので、前記ランプハウジング６００は、透明素材で形成され、赤外線が透過することが好ましい。
【００２５】
一方、前記ランプハウジング６００が不透明素材で形成されれば、前記ランプハウジング６００の上下端に各々透明窓６２０を設置し、下端の透明窓６２０を通じて前記ビデノズル３００と洗浄ノズル４００に赤外線を照射するようになっていて、前記ビデノズル３００と洗浄ノズル４００を赤外線を用いて殺菌することができる。この時、前記赤外線ランプ６１０は、上下端の透明窓６２０に赤外線を照射するように設けられることが好ましい。
【００２６】
また、前記本体１００にはガイド部１３０が形成され、前記駆動部２００には前記ガイド部１３０に対応するスライディング部材２３０が形成されていて、前記本体１００と駆動部２００の結合状態を維持しながら駆動部２００のスライディングを案内する。
また、前記ビデノズル３００は、女性の帯下、生理不順などの各種婦人病を予防するように構成される。
さらに、前記洗浄ノズル４００は、用便後に自動で用便部位を洗浄するように構成され、痔疾のような肛門疾患を治療する。
以下、本発明の第１実施例に係るビデ用ノズルアセンブリーＡの動作を説明する。
まず、ユーザは、用便後にビデの操作部を操作する。
この時、モーター５１０が駆動し、ピニオン５２０の駆動力がラック５３０に伝達され、駆動部２００は、本体１００に対して長さ方向に伸長される。
また、流入口２４３、２４４を通じて洗浄水の投入を実施する。
【００２７】
次に、前記第１、第２連結具２４１、２４２と連通する第１、第２シリンダー２１０、２２０に洗浄水が流入され、その圧力によってビデノズル３００と洗浄ノズル４００は、駆動部２００の長さ方向に延長され、洗浄を実施する。
【００２８】
一方、前記第１、第２連結具２４１、２４２のうち１つに選択的に洗浄水が流入され、前記ビデノズル３００と洗浄ノズル４００は別に動作を実施するようになる。
【００２９】
その後、洗浄が完了したビデノズル３００または洗浄ノズル４００は、リターンスプリング７００によって第１、第２シリンダー２１０、２２０の内部に復帰する。
【００３０】
次に、ユーザの用便部位にランプハウジング６００を位置させて、赤外線ランプ６１０を照射する。すなわち、前記赤外線ランプ６１０を用いて用便部位の乾燥を実施すると共に、用便部位に赤外線を照射し、血液循環促進及び殺菌を実施する。
【００３１】
一方、前記ビデノズル３００または洗浄ノズル４００を用いた洗浄を実施する時、赤外線ランプ６１０を同時に点灯して赤外線を照射するか、前記ビデノズル３００または洗浄ノズル４００を用いた洗浄または赤外線ランプ６１０の点灯のうち１つを選択的に実施することができることを明らかにする。
その後、モーター５１０の駆動力によって駆動部２００は、本体１００に伸長された距離分だけ復帰する。
【００３２】
次に、前記ランプハウジング６００下端の透明窓６２０または反射鏡６３０を通じて赤外線ランプ６１０の赤外線をビデノズル３００と洗浄ノズル４００に照射し、殺菌を実施する。
【００３３】
以下、本発明によるビデ用ノズルアセンブリーの他の実施例を説明するにあたって、本発明の第１実施例と同一の構成と機能を有する構成については、同一の構成符号を使用し、差異点のみ記述して説明する。
第２実施例
図４は、本発明の第２実施例に係るビデ用ノズルアセンブリーを示す分解斜視図であり、図５は、図４の結合状態を示す斜視図である。
【００３４】
図４及び図５に示されたように、本発明の第２実施例に係るビデ用ノズルアセンブリーＡは、本体１００と、第１、第２シリンダー２１０、２２０が形成される駆動部２００と、前記第１、第２シリンダー２１０、２２０に対応する第１、第２連結具２４１、２４２が形成され、前記駆動部２００の開放された端部を覆うように結合されるカバー２４０と、前記第１シリンダー２１０に挿入され、水圧によって延長されるビデノズル３００と、前記第２シリンダー２２０に挿入され、水圧によって延長される洗浄ノズル４００と、前記本体１００に対して前記駆動部２００をスライディングさせる駆動手段５００と、前記駆動部２００に設けられ、第１、第２赤外線ランプ６１０ａ、６１０ｂを具備するランプハ
ウジング６００とで構成される。
【００３５】
ここで、前記第１赤外線ランプ６１０ａは、ユーザの局所部位に照射し、血液循環を促進させることができると共に、殺菌を実施し、前記第２赤外線ランプ６１０ｂは、ビデノズル３００と洗浄ノズル４００方向に照射し、ビデノズル３００と洗浄ノズル４００の殺菌を実施する。
【００３６】
一方、前記第１、第２赤外線ランプ６１０ａ、６１０ｂは、赤外線照射範囲が限定されるので、第１赤外線ランプ６１０ａは、ユーザの局所に照射するために、通常、上端に向かうように設けられ、第２赤外線ランプ６１０ｂは、ビデノズル３００と洗浄ノズル４００に赤外線を照射するために、通常、下端に向かうように設けられる。
また、前記ランプハウジング６００には、第１、第２赤外線ランプ６１０ａ、６１０ｂを分離収容するように隔壁６３０が形成される。
【００３７】
また、前記ランプハウジング６００の上下端には、各々透明窓６２０を設置し、第１、第２赤外線ランプ６１０ａ、６１０ｂの赤外線がユーザの局所部位とビデノズルと洗浄ノズルに照射されるようにする。
【００３８】
以外にも、前記透明窓６２０によって第１、第２赤外線ランプ６１０ａ、６１０ｂに異物が沈着されることを防止すると共に、湿気による短絡を防止するようになる。
第３実施例
【００３９】
図６は、本発明の第３実施例に係るビデ用ノズルアセンブリーを示す分解斜視図であり、図７は、図６の結合状態を示す斜視図であり、図８は、本発明の第３実施例に係るビデ用ノズルアセンブリーが適用されたビデを示す断面図であり、図９は、本発明の第３実施例に係るビデ用ノズルアセンブリーに複数個の赤外線ヒーターが適用された状態を示す分解斜視図である。
【００４０】
図６乃至図９に示されたように、本発明の第３実施例に係るビデ用ノズルアセンブリーＡは、本体１００と、第１、第２シリンダー２１０、２２０が形成される駆動部２００と、前記第１、第２シリンダー２１０、２２０に対応する第１、第２連結具２４１、２４２が形成され、前記駆動部２００の開放された端部を覆うように結合されるカバー２４０と、前記第１シリンダー２１０に挿入され、水圧によって延長されるビデノズル３００と、前記第２シリンダー２２０に挿入され、水圧によって延長される洗浄ノズル４００と、前記本体１００に対して前記駆動部２００をスライディングさせる駆動手段５００と、前記駆動部２００に設けられ、赤外線ヒーター６１０を具備するヒーターハウジング６００とで
構成される。
【００４１】
また、前記ヒーターハウジング６００の外部には、図８のように、反射鏡６３０がさらに備えられ、前記反射鏡６３０は、ビデハウジング８００の内面に設けられる。これは、ヒーターハウジング６００の内部に実装された赤外線ヒーター６１０は、赤外線照射範囲が限定されるので、ユーザの局所に照射するために、通常、上端に向かうようになり、上端に向かう赤外線を反射鏡６３０を通じてビデノズル３００と洗浄ノズル４００に向かって照射し、殺菌を実施することができる。
【００４２】
しかし、前記反射鏡６３０を通じて反射された赤外線は、前記ヒーターハウジング６００の外部に照射されるので、前記ヒーターハウジング６００は、透明素材で形成され、赤外線が透過することが好ましい。
【００４３】
一方、前記ヒーターハウジング６００が不透明素材で形成されれば、前記ヒーターハウジング６００の上下端に各々透明窓６２０を設置し、下端の透明窓６２０を通じて前記ビデノズル３００と洗浄ノズル４００に赤外線を照射するようになっていて、前記ビデノズル３００と洗浄ノズル４００を赤外線によって殺菌することができる。この時、前記赤外線ヒーターは、上下端の透明窓に赤外線を照射するように設けられることが好ましい。
一方、前述した説明では、１つの赤外線ヒーター６１０を説明したが、多数個の赤外線
ヒーターが備えられることも可能である。
例えば、図９に示されたように、前記ヒーターハウジング６００に第１、第２赤外線ヒーター６１０ａ、６１０ｂが各々備えられる。
【００４４】
ここで、前記第１赤外線ヒーター６１０ａは、ユーザの局所部位に照射し、血液循環を促進させることができると共に、殺菌を実施し、前記第２赤外線ヒーター６１０ｂは、ビデノズル３００と洗浄ノズル４００方向に照射し、ビデノズル３００と洗浄ノズル４００の殺菌を実施する。
一方、前記第１、第２赤外線ヒーター６１０ａ、６１０ｂは、赤外線照射範囲が限定さ
【００４５】
れるので、第１赤外線ヒーター６１０ａは、ユーザの局所に照射するために、通常、上端に向かうように設けられ、第２赤外線ヒーター６１０ｂは、ビデノズル３００と洗浄ノズル４００に赤外線を照射するために、通常、下端に向かうように設けられる。
また、前記ヒーターハウジング６００には、第１、第２赤外線ヒーター６１０ａ、６１０ｂを分離収容するように隔壁６３０’が形成される。
【００４６】
また、前記ヒーターハウジング６００の上下端には、各々透明窓６２０を設置し、第１、第２赤外線ヒーター６１０ａ、６１０ｂの赤外線がユーザの局所部位とビデノズルと洗浄ノズルに照射されるようにする。
【００４７】
以外にも、前記透明窓６２０によって第１、第２赤外線ヒーター６１０ａ、６１０ｂに異物が沈着されることを防止すると共に、湿気による短絡を防止するようになる。
一方、前記第１、第２赤外線ヒーター６１０ａ、６１０ｂは、セラミックヒーター、ＣＮＴヒーターなどが使用されることができる。
【００４８】
以上、本発明の好ましい実施例について詳しく説明したが、本発明の技術的範囲は、前述した実施例に限定されず、特許請求範囲によって解釈されるべきである。この時、この技術分野における通常の知識を有する者なら、本発明の範囲から脱しない範囲で様々な修正と変形が可能であることが自明であろう。
【００４９】
例えば、図１０に示されたように、前述した第１、第２実施例の赤外線ランプ６１０ａ”、６１０ｂ”と第３実施例の赤外線ヒーター６１０ａ’、６１０ｂ’が一緒に適用されることができることは勿論である。
【符号の説明】
【００５０】
Ａ ビデ用ノズルアセンブリー
１００ 本体
２００ 駆動部
３００ ビデノズル
４００ 洗浄ノズル
５００ 駆動手段
６００ ランプハウジング
７００ リターンスプリング
【図１】
2010112154.tif 000003
【図２】
2010112154.tif 000004
【図３】
2010112154.tif 000005
【図４】
2010112154.tif 000006
【図５】
2010112154.tif 000007
【図６】
2010112154.tif 000008
【図７】
2010112154.tif 000009
【図８】
2010112154.tif 000010
【図９】
2010112154.tif 000011
【図１０】
2010112154.tif 000012